【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
シート束に対する後処理を行うオフライン装置と通信可能に接続され、印刷データの印刷指示を実行することが可能な情報処理装置であって、
前記オフライン装置で発生した後処理のエラー情報を取得するエラー取得手段と、
前記オフライン装置で実行する後処理の進捗状況を管理する管理手段と、
前記エラー取得手段で取得したエラー情報および前記管理手段で管理された後処理の進捗状況に基づいて、前記印刷データの再印刷を指示するか否かを判定する再印刷判定手段と
を備えたことを特徴とする情報処理装置。
【請求項２】
前記オフライン装置でエラーが発生した印刷データを印刷出力した印刷装置を特定し、前記印刷装置で当該印刷データを印刷するのに要する時間を取得する印刷時間取得手段をさらに備え、
前記再印刷判定手段は、前記印刷時間取得手段で取得した印刷時間に基づいて、前記エラー取得手段で取得した再印刷が必要な印刷データの印刷時間を算出することを特徴とする請求項１に記載の情報処理装置。
【請求項３】
前記管理手段は、１部のシート束に対する後処理に要する時間と、オフライン装置での後処理が必要な残りの部数と、当該情報から算出される前記残りの部数の後処理に必要な時間とを前記後処理の進捗に応じて管理することを特徴とする請求項２に記載の情報処理装置。
【請求項４】
前記再印刷判定手段は、前記再印刷が必要な印刷データの印刷時間と、前記残りの部数の後処理に必要な時間とを比較し、前記再印刷が必要な印刷データの印刷時間が前記残りの部数の後処理に必要な時間とほぼ同等となった場合、前記印刷データの再印刷を指示すると判定することを特徴とする請求項３に記載の情報処理装置。
【請求項５】
前記再印刷判定手段は、前記再印刷が必要な印刷データの印刷時間と、前記残りの部数の後処理に必要な時間とを比較し、前記再印刷が必要な印刷データの印刷時間が前記残りの部数の後処理に必要な時間よりも長くなった場合、前記印刷データの再印刷を指示すると判定することを特徴とする請求項３に記載の情報処理装置。
【請求項６】
前記再印刷判定手段は、前記エラー情報を取得するごとに、該エラー情報に対応する再印刷を指示するか否かを判定することを特徴とする請求項１乃至５のいずれかに記載の情報処理装置。
【請求項７】
前記再形成要求手段は、予め定められた期間の経過ごとに、該エラー情報に対応する再印刷を指示するか否かを判定することを特徴とする請求項１乃至５のいずれかに記載の情報処理装置。
【請求項８】
前記再印刷判定手段が前記印刷データの再印刷を指示すると判定した後、前記エラー取得手段が前記エラー情報を取得した場合、前記再印刷判定手段は前記判定をすることなく、当該エラー情報に基づく印刷データの再印刷を指示する処理を実行することを特徴とする請求項１乃至７のいずれかに記載の情報処理装置。
【請求項９】
シート束に対する後処理を行うオフライン装置と通信可能に接続され、印刷データの印刷指示を実行する情報処理方法であって、
前記オフライン装置で発生した後処理のエラー情報を取得するエラー取得ステップと、
前記オフライン装置で実行する後処理の進捗状況を管理する管理ステップと、
前記エラー取得ステップで取得したエラー情報および前記管理ステップで管理された後処理の進捗状況に基づいて、前記印刷データの再印刷を指示するか否かを判定する再印刷判定ステップと
を備えたことを特徴する情報処理方法。
【請求項１０】
前記オフライン装置でエラーが発生した印刷データを印刷出力した印刷装置を特定し、前記印刷装置で当該印刷データを印刷するのに要する時間を取得する印刷時間取得ステップをさらに備え、
前記再印刷判定ステップは、前記印刷時間取得ステップで取得した印刷時間に基づいて、前記エラー取得ステップで取得した再印刷が必要な印刷データの印刷時間を算出することを特徴とする請求項９に記載の情報処理方法。
【請求項１１】
前記管理ステップは、１部のシート束に対する後処理に要する時間と、オフライン装置での後処理が必要な残りの部数と、当該情報から算出される前記残りの部数の後処理に必要な時間とを前記後処理の進捗に応じて管理することを特徴とする請求項９に記載の情報処理方法。
【請求項１２】
前記再印刷判定ステップは、前記再印刷が必要な印刷データの印刷時間と、前記残りの部数の後処理に必要な時間とを比較し、前記再印刷が必要な印刷データの印刷時間が前記残りの部数の後処理に必要な時間とほぼ同等となった場合、前記印刷データの再印刷を指示すると判定することを特徴とする請求項１１に記載の情報処理方法。
【請求項１３】
前記再印刷判定ステップは、前記再印刷が必要な印刷データの印刷時間と、前記残りの部数の後処理に必要な時間とを比較し、前記再印刷が必要な印刷データの印刷時間が前記残りの部数の後処理に必要な時間よりも長くなった場合、前記印刷データの再印刷を指示すると判定することを特徴とする請求項１１に記載の情報処理方法。
【請求項１４】
前記再印刷判定ステップは、前記エラー情報を取得するごとに、該エラー情報に対応する再印刷を指示するか否かを判定することを特徴とする請求項９乃至１３のいずれかに記載の情報処理方法。
【請求項１５】
前記再形成要求ステップは、予め定められた期間の経過ごとに、該エラー情報に対応する再印刷を指示するか否かを判定することを特徴とする請求項９乃至１３のいずれかに記載の情報処理方法。
【請求項１６】
前記再印刷判定ステップが前記印刷データの再印刷を指示すると判定した後、前記エラー取得ステップにおいて前記エラー情報が取得された場合、前記再印刷判定ステップは前記判定をすることなく、当該エラー情報に基づく印刷データの再印刷を指示する処理を実行することを特徴とする請求項９乃至１５のいずれかに記載の情報処理方法。
【請求項１７】
コンピュータを用いて請求項９乃至１６のいずれかに記載の各ステップを実行させるためのプログラム。
【請求項１８】
請求項９乃至１６のいずれかに記載の各ステップを実行させるためのプログラムを記録したコンピュータ読み取り可能な記録媒体。
【請求項１９】
シート束に対する後処理を行うオフライン装置と通信可能に接続され、印刷データの印刷指示を実行可能な情報処理装置を動作させるための情報処理方法であって、
前記オフライン装置で実行しているオフラインジョブで発生したエラーに基づいて算出された当該エラーを補うための再印刷部数を印刷するのに必要な時間と、前記オフラインジョブを終了するのに要する時間とに応じて、前記再印刷部数分の印刷を指示するか否かを判定することを特徴とする情報処理方法。
【請求項２０】
前記エラーを補うための再印刷部数を印刷するのに必要な時間が、前記オフラインジョブを終了するのに要する時間と略同等または長くなった場合に、前記再印刷部数分の印刷を指示することを特徴とする請求項１９に記載の情報処理方法。
【手続補正２】
【補正対象書類名】明細書
【補正対象項目名】００１７
【補正方法】変更
【補正の内容】
【００１７】
上記の課題を解決するため、本願発明の情報処理装置は、シート束に対する後処理を行うオフライン装置と通信可能に接続され、印刷データの印刷指示を実行することが可能な情報処理装置であって、オフライン装置で発生した後処理のエラー情報を取得するエラー取得手段と、オフライン装置で実行する後処理の進捗状況を管理する管理手段と、エラー取得手段で取得したエラー情報および管理手段で管理された後処理の進捗状況に基づいて、印刷データの再印刷を指示するか否かを判定する再印刷判定手段とを備えたことを特徴する。
【手続補正３】
【補正対象書類名】明細書
【補正対象項目名】００１８
【補正方法】変更
【補正の内容】
【００１８】
また、本願発明の情報処理方法は、シート束に対する後処理を行うオフライン装置と通信可能に接続され、印刷データの印刷指示を実行する情報処理方法であって、オフライン装置で発生した後処理のエラー情報を取得するエラー取得ステップと、オフライン装置で実行する後処理の進捗状況を管理する管理ステップと、エラー取得ステップで取得したエラー情報および管理ステップで管理された後処理の進捗状況に基づいて、印刷データの再印刷を指示するか否かを判定する再印刷判定ステップとを備えたことを特徴する。以上の方法をプログラムに実行させ、および実行するプログラムをコンピュータ読取可能な媒体に格納することもできる。
【手続補正４】
【補正対象書類名】明細書
【補正対象項目名】００１９
【補正方法】変更
【補正の内容】
【００１９】
さらに、本願発明の情報処理方法は、シート束に対する後処理を行うオフライン装置と通信可能に接続され、印刷データの印刷指示を実行可能な情報処理装置を動作させるための情報処理方法であって、オフライン装置で実行しているオフラインジョブで発生したエラーに基づいて算出されたエラーを補うための再印刷部数を印刷するのに必要な時間と、オフラインジョブを終了するのに要する時間とに応じて、再印刷部数分の印刷を指示するか否かを判定することを特徴とする。